(57)【要約】【課題】方形の重箱容器に、食材あるいは惣菜の形状を考慮した様々な形状からなる内容器を配設することにより、多種の惣菜から生じる彩り、華やかさやバランス等の意匠性が高く、かつ盛り付けが容易で利便性、経済性の高い重箱容器を提供する。【解決手段】本実施形態の重箱容器における一の重は、方形の重箱１内に、水平断面が互いに大きさの異なる複数の円形の容器１１から１４と、水平断面が方形の容器１５と、台形の容器１６、水平断面が互いに異なる曲面形状の容器１７〜１９とを配設したものである。【選択図】図１
0003102613.tif 000002
【実用新案登録請求の範囲】
【請求項１】
方形の重箱内に、
水平断面が互いに大きさの異なる複数の円形の容器と、
水平断面が互いに異なる方形又は台形の容器と、
水平断面が互いに異なる曲面形状の複数の容器と、
を配設したことを特徴とする重箱容器。
【請求項２】
方形の重箱内に、
水平断面が互いに大きさの異なる円形の第１群の容器であって、略球状の食材を用いた惣菜を盛り付ける容器を複数配設し、
水平断面が互いに異なる方形又は台形の第２群の容器であって、略長尺状の食材を用いた惣菜を盛り付ける容器を複数配設し、
水平断面が互いに異なる曲面形状の第３群の容器であって、略不定形状の食材を用いた惣菜を盛り付ける容器を複数配設したことを特徴とする重箱容器。
【請求項３】
方形の重箱内に、
水平断面が互いに大きさの異なる複数の円形の容器と、
水平断面が波型の容器と、
水平断面が互いに異なる方形又は台形の容器と、
水平断面が互いに異なる多角形状の複数の容器と、
水平断面が方形で、内部が複数領域に仕切られた内重箱容器と、
を配設したことを特徴とする重箱容器。
【請求項４】
方形の重箱内に、
水平断面が互いに大きさの異なる複数の円形の容器であって、粒状の食材を用いた惣菜を盛り付ける容器を配設し、
水平断面が波型の容器であって、スライス状の食材と巻物状の惣菜とをその波型に沿って盛り付ける容器を配設し、
水平断面が互いに異なる方形又は台形の容器であって、略棒状または半円筒状の食材を用いた惣菜を盛り付ける容器を配設し、
水平断面が互いに異なる多角形状の複数の容器であって、略紐状の食材を用いた惣菜と略不定形の惣菜とを盛り付ける容器を配設し、
水平断面が方形で、内部が複数領域に仕切られ、左右に対称に流動性の惣菜を盛りつけ、中心に細かい惣菜とを盛り付ける内重箱容器と、
を配設したことを特徴とする重箱容器。
【請求項５】
方形の重箱に縦横４領域に仕切られ、
第１の領域には、一部が欠けた方形の水平断面の２つの容器を配設し、
第２の領域には、半円及び扇状の水平断面の２つの容器、またはこれら２つの容器と方形容器とを配設し、
第３の領域には、楕円及びバナナ型の水平断面の２つの容器を配設し、
第４の領域には、向き合う面が互いに対応する曲面形状である２つの容器を配設したことを特徴とする重箱容器。
【請求項６】
方形の重箱に縦横４領域に仕切られ、
第１の領域には、一部が欠けた方形の水平断面の２つの容器であって、粒状の食材または略円筒状の食材を盛り付ける容器を配設し、
第２の領域には、半円及び扇状の水平断面の２つの容器またはこれら２つの容器と方形容器であって、それぞれ略円筒状の食材を輪切りにした食材を盛り付ける容器を配設し、
第３の領域には、水平断面が楕円で略方形の食材を盛り付ける楕円の容器と、水平断面がバナナ型で略円筒状の食材をその曲線に沿って盛り付ける容器とを配設し、
第４の領域には、向き合う面が互いに対応する曲面形状である２つの容器であって、互いに異なるスライス状の食材を盛り付ける容器を配設したことを特徴とする重箱容器。
【請求項７】
前記請求項１、３及び５の重箱容器を任意の上下順序で多段組み合わせしたことを特徴とする重箱容器。
【請求項８】
前記請求項２、４及び６の重箱容器を任意の上下順序で多段組み合わせしたことを特徴とする重箱容器。
【請求項９】
前記各容器は、ＰＥＴ（ポリエチレンテレフタレート）製であることを特徴とする請求項１乃至９のいずれか１項に記載の重箱容器。
【考案の詳細な説明】
【技術分野】
【０００１】
本考案は、食材を収納する容器に係り、特に、内容器の構成に改良を加えた重箱容器に関するものである。
【背景技術】
【０００２】
現在では、正月料理の定番となっている御節料理は、幾重にも重ねられた重箱に複数種類の惣菜が彩り華やかに盛り付けられ、その外見の美しさもさることながら、そこに盛り付けられる惣菜の一つ一つに子孫繁栄や勤労、長寿、将来展望などの意味合いが込められ、まさに日本の代表的な風物詩として生活に深く浸透した文化の一つである。
【０００３】
そして、惣菜を盛り付ける重箱容器も御節料理を彩る重要な役割を担っており、材料にひのきを用い、漆で仕上げる等、装飾的な工夫が施されると共に、下記特許文献に示されるように、種々の技術的な工夫もなされている。
【特許文献１】特開平１０−３２８００５号公報
【特許文献２】特開２０００−１０９０７２号公報
【考案の開示】
【考案が解決しようとする課題】
【０００４】
ところで、従来の重箱容器では、上記各文献に示される通り、重箱を複数段重ねる際の工夫や重箱の強度あるいは組立ての便宜を図る等、外形上の工夫が施されているに過ぎない。しかしながら、上記御節料理を例にとって見ても、重箱容器に盛り付けられる惣菜は、平均でも２０種類〜３０種類にも及ぶのであるから、重箱容器自体に盛り付けることはたとえ熟練の料理人であったとしても非常に骨の折れる作業である。
【０００５】
また、例えば、盛り付け上の便宜を図ってか、重箱容器自体に仕切りを設ける工夫も従来よりなされているが、これらは重箱を単に格子状区切る程度のもので、仮に盛り付けが容易になったとしても、重箱に盛り付けられる惣菜の彩りや、惣菜の組み合わせから生じるバランス感や華やかさが失われることがあり、盛り付けの便宜とデザイン性を両立するようなものはなかった。
【０００６】
本考案は、そのような従来技術の問題点を解決するために提案されたもので、その目的は、御節料理等に用いられる重箱容器の盛り付けを容易とし、あわせて盛り付けられた惣菜全体のバランスや彩りなどのデザイン性をも兼ね備えた優れた重箱容器を提供することである。
【課題を解決するための手段】
【０００７】
上記の目的を達成するため、請求項１の考案は、方形の重箱内に、水平断面が互いに大きさの異なる複数の円形の容器と、水平断面が互いに異なる方形又は台形の容器と、水平断面が互いに異なる曲面形状の複数の容器と、を配設したことを特徴とする。
【０００８】
以上のような態様では、円形、方形、曲面形状という互いに異なる系統の不定形の容器群を、いくつかずつ詰め合わせることにより、多用な食材・惣菜の性状、色彩、種類等に応じた詰め合わせの自由度、作業効率、展示・輸送時の安定性といった技術上の優れた効果が得られる。また、不定形な容器の組合せにより、方形の重箱内に適度なスペースが生まれ、これにより重箱全体にボリューム感が醸し出されると共に、各惣菜の分量が定量化されるため、ボリューム感を出す為の無駄な原材料費の削減が可能となり経済性も高い。
【０００９】
加えて、一貫性のある統一感と変化に富んだ多様性の両立した優れた魅力的なデザイン・視覚効果が演出され、正月等のめでたい場合にふさわしい寿感、食欲増進、購買意欲の喚起をもたらし、精神上、健康上、事業経済上の絶大な効果を奏する。
【００１０】
請求項２記載の考案は、方形の重箱内に、水平断面が互いに大きさの異なる円形の第１群の容器であって、略球状の食材を用いた惣菜を盛り付ける容器を複数配設し、水平断面が互いに異なる方形又は台形の第２群の容器であって、略長尺状の食材を用いた惣菜を盛り付ける容器を複数配設し、水平断面が互いに異なる曲面形状の第３群の容器であって、略不定形状の食材を用いた惣菜を盛り付ける容器を複数配設したことを特徴とする。
【００１１】
この態様では、それぞれ形状の特徴を持った各群の容器ごとに、対応する形状の食材を用いた惣菜を盛り付けることにより、盛り合わせ作業者が盛り易く、盛り付け場所の間違いや盛り忘れも効果的に防止され、作業効率が改善される。加えて、各容器と食材の形状が一致し、統一感が演出されるので、デザイン上の優れた視覚効果も演出される。
【００１２】
請求項３の考案は、方形の重箱内に、水平断面が互いに大きさの異なる複数の円形の容器と、水平断面が波型の容器と、水平断面が互いに異なる方形又は台形の容器と、水平断面が互いに異なる多角形状の複数の容器と、水平断面が方形で、内部が複数領域に仕切られた内重箱容器と、を配設したことを特徴とする。
【００１３】
この態様では、この態様では、内部が仕切られた内重箱容器が用いられているため、方形の重箱内においては、他の容器に比べて相対的に存在感を醸し出すため、重箱容器全体に統一感が広がり、デザイン性が優れたものとなる。
【００１４】
請求項４の考案は、方形の重箱内に、水平断面が互いに大きさの異なる複数の円形の容器であって、粒状の食材を用いた惣菜を盛り付ける容器を配設し、水平断面が波型の容器であって、スライス状の食材と巻物状の惣菜とをその波型に沿って盛り付ける容器を配設し、水平断面が互いに異なる方形又は台形の容器であって、略棒状または半円筒状の食材を用いた惣菜を盛り付ける容器を配設し、水平断面が互いに異なる多角形状の複数の容器であって、略紐状の食材を用いた惣菜と略不定形の惣菜とを盛り付ける容器を配設し、他の容器に比べて大きく、水平断面が方形で、内部が複数領域に仕切られ、左右に対称に流動性の惣菜を盛りつけ、中心に細かい惣菜とを盛り付ける内重箱容器を配設したことを特徴とする。
【００１５】
この態様では、内部を複数領域に仕切った内重箱容器は相対的に大きく構成されているので、例えば、小海老揚げのようなポロポロと細かい惣菜や、テルミドールなどの形状を確実に保持すべき惣菜も盛りつけ容易であり、和洋折衷等の惣菜組合せの自由度が高まる技術的効果がある。加えて、内容器が主たる存在感を演出し、それより小さい周囲の多用な形の容器が、従の関係となるので、重箱全体が見る者に安定感を感じさせ、他の重と組み合わせたときにも、中心的なバランス感覚により、寿ぎの膳の華やかさを効果的に演出する利点がある。
【００１６】
請求項５の考案は、方形の重箱に縦横４領域に仕切られ、第１の領域には、一部が欠けた方形の水平断面の２つの容器を配設し、第２の領域には、半円及び扇状の水平断面の２つの容器、またはこれら２つの容器と方形容器とを配設し、第３の領域には、楕円及びバナナ型の水平断面の２つの容器を配設し、第４の領域には、向き合う面が互いに対応する曲面形状である２つの容器を配設したことを特徴とする。
【００１７】
この態様では、方形の重箱をさらに４つの領域に区切っているので、各領域において、素材感や味付けの類似した惣菜を盛り付けることによって、惣菜同士の風味が混ざり合うことがない。また、例えば汁気の多い惣菜を一領域にまとめて盛り付けることにより、他の惣菜への影響を気にかけることなく、他の領域の盛り付けを行うことができるので、盛り付けの自由度が高まる技術的効果がある。
【００１８】
請求項６の考案は、方形の重箱に縦横４領域に仕切られ、第１の領域には、一部が欠けた方形の水平断面の２つの容器であって、粒状の食材または略円筒状の食材を盛り付ける容器を配設し、第２の領域には、半円及び扇状の水平断面の２つの容器またはこれら２つの容器と方形容器であって、それぞれ略円筒状の食材を輪切りにした食材を盛り付ける容器を配設し、第３の領域には、水平断面が楕円で略方形の食材を盛り付ける楕円の容器と、水平断面がバナナ型で略円筒状の食材をその曲線に沿って盛り付ける容器とを配設し、第４の領域には、向き合う面が互いに対応する曲面形状である２つの容器であって、互いに異なるスライス状の食材を盛り付ける容器を配設したことを特徴とする。
【００１９】
この態様では、４つに区切られた各領域それぞれに不定形の異なる容器を種々組み合せて配設することによって、例えばある領域では荒々しさを、またある領域では艶かしさを、またある領域では整然とした様子を表現するなど、各領域で異なる趣きを醸し出すことができる。
【００２０】
請求項７記載の考案は、前記請求項１、３及び５の重箱容器を任意の上下順序で多段組み合わせしたことを特徴とする。
この態様では、各段ごとに大きさ、形状の異なる容器が複数配設されており、これらの容器は合計で３０種類にも及ぶから、盛り付ける者あるいは食す者の趣向に応じて、それぞれ形状に特徴を持った容器に対して、形状あるいは色彩に配慮して好みの惣菜を盛り付けることが可能であるから、著しく盛り付けの自由度が高い。また、盛りつけられる各食材は、容器によって各々隔絶された状態となるため、一つの段に風味や味付けの異なる惣菜を盛りつけたとしても、これらが相互に混ざり合うことはなく、安心して盛り付けを行うことが可能である。
【００２１】
請求項８の考案は、前記請求項２、４及び６の重箱容器を任意の上下順序で多段組み合わせしたことを特徴とする。
この態様では、それぞれ形状に特徴を持った容器ごとに、それに見合った形状の食材を用いた惣菜を盛り付けることにより、約３０種類近くの惣菜がそれぞれ異なる大きさ、形状の容器に収納されるため、食材をより美しく理に適った形で盛り込むことが可能となるさらに、３０種類もの多くの惣菜の盛りつけ位置が容器の大きさによって予め決定されているので、盛り合わせ作業者が盛り易く、盛り付け場所の間違いや盛り忘れも効果的に防止され、作業効率が著しく高い。
【００２２】
請求項９の考案は、請求項１乃至９のいずれか１項に記載の考案において、前記各容器は、ＰＥＴ（ポリエチレンテレフタレート）製であることを特徴とする。
この態様では、内容器の素材がＰＥＴなので、透明性が高く、各惣菜の視認性が高く、色合いを損なわず引き立て、移り香や色移りがなく、ＰＥＴ素材自体が無味無臭であるから風味を損なわず、柔軟性があるため、詰め合わせ融通性も高く、しかも、リサイクル性に優れ環境保護にも役立つなど、多くの利点が得られる。
【考案の効果】
【００２３】
以上のように、本考案では、方形の重箱容器に、食材あるいは惣菜の形状を考慮した様々な形状からなる内容器を配設することにより、多種の惣菜から生じる彩り、華やかさやバランス等の意匠性が高く、かつ盛り付けが容易で利便性、経済性の高い重箱容器を提供することが可能となる。
【考案を実施するための最良の形態】
【００２４】
以下、本考案の重箱容器（以下、「本重箱容器」と呼ぶ）を実施するための最良の形態（本実施形態と呼ぶ）について図面を参照して説明する。
【００２５】
すなわち、本重箱容器は、図１〜３にそれぞれ示すように、一の重、二の重及び三の重の三段から構成され、それぞれに特徴を有すると共に、全体の組合せによっても、各重箱を相乗した作用効果を奏するものである。そこで、以下、一の重からその構成、作用、効果について順に説明する。
【００２６】
〔一の重について〕
図１に示すように、本実施形態の重箱容器における一の重は、方形の重箱１内に、水平断面が互いに大きさの異なる複数の円形の容器１１から１４と、水平断面が方形の容器１５と、台形の容器１６、水平断面が互いに異なる曲面形状の容器１７〜１９とを配設したものである。
【００２７】
そして、これら各容器には、それぞれの形状に合わせて、次のような惣菜が盛り付けられる。すなわち、円形容器１１〜１４には、主として略球状の惣菜が盛り付けられる。具体的には、容器１１には渋皮栗や金柑の蜜煮等比較的大粒の惣菜が盛り付けられ、容器１２には栗金団が、容器１３にはオリーブの実が、容器１４には長老木の酢漬けが盛り付けられる。
【００２８】
また、方形又は台形の容器１５、１６には、略長尺状の食材が盛り付けられる。具体的には、容器１５には姫竹が、容器１６には金平牛蒡が盛り付けられる。さらに、曲面形状の容器１７、１８にはこの形状に合わせて略不定形状の食材を用いた惣菜が盛り付けられる。具体的には、容器１７にはプラムの白ワイン煮が、容器１８には花豆が、容器１９には雷こんにゃくが盛り付けられる。このようにして盛り付けられた重箱容器の盛り付け例を参考図として図４に示す。
【００２９】
以上のように構成される本実施形態の一の重を成す重箱容器１は、具体的に以下のような作用効果を奏するものである。すなわち、円形、方形、曲面形状という互いに異なる系統の不定形の容器群を、いくつかずつ詰め合わせることにより、多用な食材・惣菜の性状、色彩、種類等に応じた詰め合わせの自由度、作業効率、展示・輸送時の安定性といった技術上の優れた効果が得られる。また、不定形な容器の組合せにより、方形の重箱内に適度なスペースが生まれ、これにより重箱全体にボリューム感が醸し出されると共に、各惣菜の分量が定量化されるため、ボリューム感を出す為の無駄な原材料費の削減が可能となり経済性も高い。
【００３０】
また、一貫性のある統一感と変化に富んだ多様性の両立した優れた魅力的なデザイン・視覚効果が演出され、正月等のめでたい場合にふさわしい寿感、食欲増進、購買意欲の喚起をもたらし、精神上、健康上、事業経済上の絶大な効果を奏する。
【００３１】
さらに、それぞれ形状の特徴を持った各群の容器ごとに、対応する形状の食材を用いた惣菜を盛り付けることにより、盛り合わせ作業者が盛り易く、盛り付け場所の間違いや盛り忘れも効果的に防止され、作業効率が改善される。加えて、各容器と食材の形状が一致し、統一感が演出されるので、デザイン上の優れた視覚効果も演出される。
【００３２】
なお、この各容器は、主としてＰＥＴ（ポリエチレンテレフタレート）材からなる筒状であるため、下部から食材の汁気などが流出することがない。さらに、内容器の素材がＰＥＴであることにより、透明性が高く、各惣菜の視認性が高く、色合いを損なわず引き立て、移り香や色移りがなく、ＰＥＴ素材自体が無味無臭であるから風味を損なわず、柔軟性があるため、詰め合わせ融通性も高く、しかも、リサイクル性に優れ環境保護にも役立つなど、多くの利点が得られる。
【００３３】
また、参考図（図４）では、金柑と栗が盛られた容器１１の外装に籠を設けているため、ＰＥＴ材による内容器との組み合わせにより、籠盛の雰囲気を出しながら汁物の盛り付けを可能としている。
【００３４】
〔二の重について〕
図２に示すように、本実施形態の重箱容器におけるニの重は、方形の重箱２内に、水平断面が互いに大きさの異なる複数の円形の容器２０〜２２と、水平断面が波型の容器２３、２４と、水平断面が方形の容器２５と、台形の容器２６と、水平断面が互いに異なる多角形状の複数の容器２７、２８と、水平断面が方形で、内部が複数領域に仕切られた内重箱容器２９と、を配設したものである。
【００３５】
そして、これら各容器には、それぞれの形状に合わせて、次のような惣菜が盛り付けられる。すなわち、円形の容器２０〜２２には、粒状の食材を用いた惣菜が盛り付けられる。例えば、容器２０にはイクラの醤油漬けを、容器２１には松前漬けを、容器２２にはサザエの醤合煮を盛り付ける。また、波型の容器２３、２４には、スライス状の食材と巻物状の惣菜とをその波型に沿って盛り付ける。例えば、容器２３にはドライサーモンのスライスを、容器２４には鰊の昆布巻きを盛り付ける。
【００３６】
また、方形又は台形の容器２５、２６には略棒状または半円筒状の食材を用いた惣菜を盛り付ける。例えば、容器２５には紅白かまぼこを、容器２６には数の子を盛り付ける。さらに、多角形状の複数の容器２７、２８には紐状の食材を用いた惣菜と略不定形の惣菜とを盛り付ける。具体的には、容器２７にはクラゲの冷菜を、容器２８には真鱈の甘露煮を盛り付ける。
【００３７】
そして、方形の内重箱容器２９には仕切りを境に左右には対称に流動性の惣菜を盛りつけ、中心に細かい惣菜とを盛り付ける。具体的には、左右に風味の異なるテルミドールを盛り付け、中心には広東風の桜海老を盛り付ける。このようにして盛り付けられた重箱容器の盛り付け例を参考図として図５に示す。
【００３８】
以上のように構成される本実施形態のニの重を成す重箱容器２は、具体的に以下のような作用効果を奏するものである。すなわち、二の重においては、内部が仕切られた内重箱容器２９が用いられ、この容器２９は、方形の重箱２内においては、他の容器に比べて相対的に存在感を醸し出すため、重箱容器２全体に統一感が広がり、デザイン性が優れたものとなる。
【００３９】
また、同様に、内部を複数領域に仕切った内重箱容器２９は相対的に大きく構成されているので、例えば、小海老揚げのようなポロポロと細かい惣菜や、テルミドールなどの形状を確実に保持すべき惣菜も盛りつけ容易であり、和洋折衷等の惣菜組合せの自由度が高まる技術的効果がある。加えて、内容器が主たる存在感を演出し、それより小さい周囲の多用な形の容器が、従の関係となるので、重箱全体が見る者に安定感を感じさせ、他の重と組み合わせたときにも、中心的なバランス感覚により、寿ぎの膳の華やかさを効果的に演出する利点がある。
【００４０】
〔三の重について〕
図３に示すように、本実施形態の重箱容器における三の重は、方形の重箱３内に縦横４領域に仕切られ、第１の領域３１には一部が欠けた方形の水平断面の２つの容器３１ａ、３１ｂを配設し、第２の領域３２には半円状の容器３２ａと扇状の容器３２ｂと方形容器３２ｃとを配設している。また、第３の領域３３には楕円形の容器３３ａとバナナ型の容器３３ｂを配設し、第４の領域には向き合う面が互いに対応する曲面形状である２つの容器３４ａと３４ｂとを配設している。
【００４１】
そして、これら各容器には、それぞれの形状に合わせて、次のような惣菜が盛り付けられる。すなわち、第１の領域３１における方形の容器３１ａには粒状の食材が、また容器３１ｂには略円筒状の食材が盛り付けられる。具体的には、容器３１ａには豚そぼろが、容器３１ｂにはスライスされたチャーシューの塊盛り付けられる。
【００４２】
また、第２の領域３２における半円及び扇状の容器３２ａ、３２ｂまたは方形の容器３２ｃにはそれぞれ略円筒状の食材を輪切りにした食材が盛り付けられる。具体的には、容器３２ａには若鳥の２色巻きを形状に沿って盛り付け、容器３２ｂには伊達巻をこの容器の円弧に沿って並べ、容器３２ｃには鶏肉を盛り付ける。
【００４３】
次に、第３の領域３３においては、楕円状の容器３３ａには略方形の食材を盛り付け、バナナ型の容器３３ｂには略円筒状の食材をその曲線に沿って盛り付ける。具体的には、容器３３ａには牛しぐれ煮を盛り付け、容器３３ｂには牛牛蒡巻きを盛り付ける。さらに、第４の領域において、曲面形状の容器３４ａ、３４ｂには互いに異なるスライス状の食材を盛り付ける。具体的には、３４ａにはグースパストラミを、３４ｂには鴨のローストを盛り付ける。このようにして盛り付けられた重箱容器の盛り付け例を参考図として図６に示す。
【００４４】
以上のように構成される本実施形態の三の重を成す重箱容器３では、具体的に以下のような作用効果を奏するものである。すなわち、方形の重箱３をさらに４つの領域に区切っているので、各領域３１〜３４において、素材感や味付けの類似した惣菜を盛り付けることによって、惣菜同士の風味が混ざり合うことがない。また、例えば汁気の多い惣菜を一領域にまとめて盛り付けることにより、他の惣菜への影響を気にかけることなく、他の領域の盛り付けを行うことができるので、盛り付けの自由度が高まるという技術的効果がある。
【００４５】
さらに、４つに区切られた各領域それぞれに不定形の異なる容器を種々組み合せて配設することによって、例えば領域３１では粒状の豚そぼろとチャーシューの塊というように荒々しさを表し、また領域３２では、容器が円弧を描き、さらに惣菜も鳥の２色巻きや伊達巻のように円弧を成すものを用いることによって艶かしさ表す。さらに、領域３４では、例えば鴨肉あるいは牛肉のスライスが左右対称に並ぶことによって整然とした様子を表現する。このように、配設される容器の形状及び惣菜の種類によって、各領域ごとに異なる趣きを醸し出すことができ、デザイン性の高い重箱容器を提供することが可能である。  
【００４６】
〔各重箱の組み合わせ〕
上記のように各重箱ごとに独特の構成、作用効果を奏する本実施形態は、各重箱を組み合せて用いた場合には、以下のようなメリットがある。すなわち、各段ごとに大きさ、形状の異なる容器が複数配設されており、これらの容器は合計で３０種類にも及ぶから、盛り付ける者あるいは食す者の趣向に応じて、それぞれ形状に特徴を持った容器に対して、形状あるいは色彩に配慮して好みの惣菜を盛り付けることが可能であるから、著しく盛り付けの自由度が高い。また、盛りつけられる各食材は、容器によって各々隔絶された状態となるため、一つの段に風味や味付けの異なる惣菜を盛りつけたとしても、これらが相互に混ざり合うことはなく、安心して盛り付けを行うことが可能である。なお、各重箱容器１〜３を組み合わせた様子を参考図として図７に示した。
【００４７】
それぞれ形状に特徴を持った容器ごとに、それに見合った形状の食材を用いた惣菜を盛り付けることにより、約３０種類近くの惣菜がそれぞれ異なる大きさ、形状の容器に収納されるため、食材をより美しく理に適った形で盛り込むことが可能となるさらに、３０種類もの多くの惣菜の盛りつけ位置が容器の大きさによって予め決定されているので、盛り合わせ作業者が盛り易く、盛り付け場所の間違いや盛り忘れも効果的に防止され、作業効率が著しく高い。
【図面の簡単な説明】
【００４８】
【図１】本考案の実施形態における一の重の構成図。
【図２】本考案の実施形態における二の重の構成図。
【図３】本考案の実施形態における三の重の構成図。
【図４】本考案の実施形態における一の重の盛り付け例を示す参考図。
【図５】本考案の実施形態における二の重の盛り付け例を示す参考図。
【図６】本考案の実施形態における三の重の盛り付け例を示す参考図。
【図７】本考案の実施形態における重箱容器を組み合わせた例を示す参考図。
【符号の説明】
【００４９】
１、２、３…重箱容器
【図１】
0003102613.tif 000003
【図２】
0003102613.tif 000004
【図３】
0003102613.tif 000005
【図４】
0003102613.tif 000006
【図５】
0003102613.tif 000007
【図６】
0003102613.tif 000008
【図７】
0003102613.tif 000009